(57)【要約】【課題】ネットワークにおいてブロードキャストストームを発生せずにプラグアンドプレイ方式を実現することができる伝送装置を得る。【解決手段】ネットワーク接続ポートが接続しているネットワークがブロードキャストストームが発生し得る状態であること検出するためのループ検出パケットを送受信するループ検出パケット送受信部４０５の検出信号により、ブロードキャストストームを発生させないようにネットワーク接続ポート４０１、４０２を閉塞するポート閉塞制御部４０４にネットワーク接続ポート４０１、４０２の閉塞解除を指示し、プラグアンドプレイ機能部４００にプラグアンドプレイの開始を指示する。【選択図】図２
2016111490.tif 000002
【特許請求の範囲】
【請求項１】
ネットワークシステムを構成し、設定情報をプラグアンドプレイ方式により付与できるように設けられる伝送装置であって、
プラグアンドプレイの実施対象であるかによってネットワーク接続ポートのリンク状態を取得するリンク状態取得部と、
プラグアンドプレイの開始指示によってプラグアンドプレイを開始するプラグアンドプレイ機能部を備え、
前記リンク状態取得部においてリンク状態がブロードキャストストームを発生しない状態にあれば前記プラグアンドプレイ機能部にプラグアンドプレイの開始を指示するようにしたことを特徴とする伝送装置。
【請求項２】
前記ネットワーク接続ポートが接続しているネットワークがブロードキャストストームが発生し得る状態であること検出するためのループ検出パケットを送受信するループ検出パケット送受信部と、
ブロードキャストストームを発生させないように前記ネットワーク接続ポートを閉塞するポート閉塞制御部を備え、
前記ループ検出パケット送受信部の検出信号により前記ポート閉塞制御部に前記ネットワーク接続ポートの閉塞解除を指示し、前記プラグアンドプレイ機能部にプラグアンドプレイの開始を指示することを特徴とする請求項１に記載の伝送装置。
【請求項３】
隣接する伝送装置が送信するＢＰＤＵパケットを受信することで前記ネットワーク接続ポートが接続しているネットワークがブロードキャストストームが発生し得る状態であることを確認するルートＩＤ判定部と、
ブロードキャストストームを発生させないように前記ネットワーク接続ポートを閉塞するポート閉塞制御部を備え、
前記ルートＩＤ判定部の検出信号により前記ポート閉塞制御部に前記ネットワーク接続ポートの閉塞解除を指示し、前記プラグアンドプレイ機能部にプラグアンドプレイの開始を指示することを特徴とする請求項１に記載の伝送装置。
【請求項４】
前記ネットワーク接続ポートがＥポートとＷポートの両方ともリンクアップしている場合には片方のポートをリンクダウンさせるリンク状態制御部を備え、
前記リンク状態取得部の検出信号により前記リンク状態制御部に前記ネットワーク接続ポートの片方のポートのリンクダウンを指示し、前記プラグアンドプレイ機能部にプラグアンドプレイの開始を指示することを特徴とする請求項１に記載の伝送装置。
【請求項５】
プラグアンドプレイ実行時に前記ネットワーク接続ポートにおける中継レートを監視する中継レート監視部と、
前記中継レートがあらかじめ定められた一定値を超えた場合には前記ネットワーク接続ポートの一方を閉塞するポート閉塞制御部を備え、
前記リンク状態取得部の検出信号により前記プラグアンドプレイ機能部にプラグアンドプレイの開始を指示し、前記中継レート監視部の監視結果により前記ポート閉塞制御部に前記ネットワーク接続ポートの一方を閉塞するよう指示することを特徴とする請求項１に記載の伝送装置。
【請求項６】
プラグアンドプレイ実行時に前記ネットワーク接続ポートにおける中継レートを監視する中継レート監視部と、
前記中継レートがあらかじめ定められた一定値を超えた場合には前記ネットワーク接続ポートの一方を閉塞するリンク状態制御部を備え、
前記リンク状態取得部の検出信号により前記プラグアンドプレイ機能部にプラグアンドプ
レイの開始を指示し、前記中継レート監視部の監視結果により前記リンク状態制御部に前記ネットワーク接続ポートの一方をリンクダウンするよう指示することを特徴とする請求項１に記載の伝送装置。
【発明の詳細な説明】
【技術分野】
【０００１】
この発明は、ローカルエリアネットワーク（ＬＡＮ）などのネットワークシステムを構成する伝送装置に関するものである。
【背景技術】
【０００２】
ネットワークシステムにおいて、伝送制御を行う伝送装置には伝送制御のために必要な情報をあらかじめ設定しておく必要がある。このようなネットワークシステムでは、伝送装置が故障した場合に、交換した伝送装置に対して再度、伝送制御のために必要な情報を設定する必要がある。
この設定を伝送装置において自動的に実施する技術としてプラグアンドプレイ（以下、ＰｎＰと称す）方式がある（例えば、特許文献１参照）。
【先行技術文献】
【特許文献】
【０００３】
【特許文献１】特開２００８−１４１４６８号公報
【発明の概要】
【発明が解決しようとする課題】
【０００４】
特許文献１に示されたＰｎＰ方式では、交換された伝送装置（以下、新規参入装置とも称す）と各伝送装置の設定情報を保持している伝送装置（以下、バックアップノードとも称す）が非ＩＰ（Ｉｎｔｅｒｎｅｔ  Ｐｒｏｔｏｃｏｌ）通信及びＶＬＡＮ（Ｖｉｒｔｕａｌ  Ｌｏｃａｌ  Ａｒｅａ  Ｎｅｔｗｏｒｋ）方式によるＩＰ通信によって互いに通信可能であることが前提になっている。
ここで、伝送装置がリング状に接続されているネットワークを考えると、このネットワークにおいてはブロードキャストストームの発生を抑止するためにＳＴＰ（Ｓｐａｎｎｉｎｇ  Ｔｒｅｅ  Ｐｒｏｔｏｃｏｌ）やＲＳＴＰ（Ｒａｐｉｄ  Ｓｐａｎｎｉｎｇ  Ｔｒｅｅ  Ｐｒｏｔｏｃｏｌ）といったリング制御プロトコルが使われている。ところが、新規参入装置にリング制御プロトコルが設定されていない場合には、新規参入装置をネットワークに接続することによってブロードキャストストームが発生する。ブロードキャストストームが発生するとＰｎＰ方式を実現するために必要な通信（以下、ＰｎＰ通信と称す）が不能になるという問題がある。
特許文献１では新規参入装置とバックアップノードが通信可能な状態にあることが前提になっており、ブロードキャストストームについての対策は示されていない。
【０００５】
この発明は、上述のような課題を解決するためになされたもので、ネットワークにおいてブロードキャストストームを発生させずにＰｎＰ通信を行うことができる伝送装置を得ることを目的とする。
【課題を解決するための手段】
【０００６】
この発明に係る伝送装置は、自身がプラグアンドプレイの実施対象であるかによってネットワーク接続ポートのリンク状態を取得するリンク状態取得部と、プラグアンドプレイの開始指示によってプラグアンドプレイを開始するプラグアンドプレイ機能部を備え、リンク状態取得部においてリンク状態がブロードキャストストームを発生しない状態にあればプラグアンドプレイ機能部にプラグアンドプレイの開始を指示するようにしたものである。
【発明の効果】
【０００７】
この発明の伝送装置によれば、ネットワークにおいてブロードキャストストームを発生させずにプラグアンドプレイ方式を実現することができる。
【図面の簡単な説明】
【０００８】
【図１】この発明の実施の形態１に係る伝送装置を用いて構成したネットワークを示す図である。
【図２】この発明の実施の形態１を示す伝送装置のブロック図である。
【図３】この発明の実施の形態１におけるリンク状態取得部の動作を示すフローチャートである。
【図４】この発明の実施の形態１におけるポート閉塞制御部の動作を示すフローチャートである。
【図５】この発明の実施の形態１におけるループ検出パケット送受信部の動作を示すフローチャートである。
【図６】この発明の実施の形態１におけるＰｎＰ機能部の動作を示すフローチャートである。
【図７】この発明の実施の形態１に係る伝送装置で構成されたネットワークにおける動作を示すシーケンス図である。
【図８】この発明の実施の形態２を示す伝送装置のブロック図である。
【図９】この発明の実施の形態２におけるリンク状態取得部の動作を示すフローチャートである。
【図１０】この発明の実施の形態２におけるルートＩＤ判定部の動作を示すフローチャートである。
【図１１】この発明の実施の形態２に係る伝送装置で構成されたネットワークにおける動作を示すシーケンス図である。
【図１２】この発明の実施の形態３を示す伝送装置のブロック図である。
【図１３】この発明の実施の形態３におけるリンク状態取得部の動作を示すフローチャートである。
【図１４】この発明の実施の形態３におけるリンク状態制御部の動作を示すフローチャートである。
【図１５】この発明の実施の形態３に係る伝送装置で構成されたネットワークにおける動作を示すシーケンス図である。
【図１６】この発明の実施の形態４を示す伝送装置のブロック図である。
【図１７】この発明の実施の形態４におけるリンク状態取得部の動作を示すフローチャートである。
【図１８】この本発明の実施の形態４における中継レート監視部の動作を示すフローチャートである。
【図１９】この発明の実施の形態４に係る伝送装置で構成されたネットワークにおける動作を示すシーケンス図である。
【図２０】この発明の実施の形態５を示す伝送装置のブロック図である。
【図２１】この発明の実施の形態５における中継レート監視部の動作を示すフローチャートである。
【図２２】この発明の実施の形態５に係る伝送装置で構成されたネットワークにおける動作を示すシーケンス図である。
【発明を実施するための形態】
【０００９】
実施の形態１．
以下、この発明の実施の形態１を先ず図１に基づいて説明する。図１はこの発明に係る伝送装置を備えたネットワークを示している。
図１において、第１の伝送装置である伝送装置１０１、第２の伝送装置である伝送装置１０２、第３の伝送装置である伝送装置１０３、第４の伝送装置である伝送装置１０４は特許文献１でも示されたＰｎＰ機能を有する伝送装置である。伝送装置１０４はＰｎＰ機能に加えてこの発明を実現するために必要な機能も有している。
【００１０】
伝送装置１０１〜１０４のそれぞれはＥａｓｔポート（以下、Ｅポートと称す）とＷｅｓｔポート（以下、Ｗポートと称す）を備えており、それらポートを用いてリング状に接続されている。ネットワーク１００はイーサネット（登録商標、以下同様）によるネットワークである。
【００１１】
ネットワークをリング状に接続したときにブロードキャストストームが発生しないようリング制御プロトコルとしてＳＴＰやＲＳＴＰが使われている。
【００１２】
伝送装置１０４は新規参入装置と呼ばれる装置であり、リング制御プロトコルを含めて通信に必要な設定がされていない状態である。伝送装置１０１〜１０３はバックアップノードであり、リング制御プロトコルを含めた通信に必要な設定がなされている。
【００１３】
図２に実施の形態１を実現するための伝送装置１０４のブロック図を示す。
伝送装置１０４にはＰｎＰ機能部４００と、ネットワーク１００と伝送装置１０４を接続するためのＥポート４０１、Ｗポート４０２がある。さらに、この発明を実現するための機能部として実施の形態１ではリンク状態取得部４０３ａ、ポート閉塞制御部４０４、ループ検出パケット送受信部４０５がある。ポート閉塞制御部４０４、ループ検出パケット送受信部４０５は、リンク状態を確認する機能部分を構成する。
【００１４】
次に、装置内の機能部それぞれについて役割を説明する。
ＰｎＰ機能部４００はＰｎＰ機能を実現するための処理を行う。
リンク状態取得部４０３ａはネットワーク接続ポートであるＥポート４０１、Ｗポート４０２のリンク状態を取得する。
【００１５】
ポート閉塞制御部４０４はＥポート４０１、Ｗポート４０２におけるパケット送受信を停止させる処理（以下、閉塞と称す）を行う。
【００１６】
ループ検出パケット送受信部４０５はこの実施の形態１で定義したループ検出パケットを送受信する。
【００１７】
ループ検出パケットはイーサネットフレームであり伝送装置を含むイーサネット通信装置で中継されるものである。宛先ＭＡＣ（Ｍｅｄｉａ  Ａｃｃｅｓｓ  Ｃｏｎｔｒｏａｌ）アドレスを独自のアドレスにすることで、ループ検出パケット送受信部４０５が他パケットと区別してループ検出パケットだけを送受信できるようにする。ポート閉塞制御部４０４はＥポート４０１、Ｗポート４０２を閉塞している状態においても、ループ検出パケットのみは送受信が可能となるようポートを制御する。
【００１８】
次に、各機能部の動作をフローチャートで説明する。
リンク状態取得部４０３ａのフローチャートを図３に示す。
リンク状態取得部４０３ａは動作開始すると自身がＰｎＰ実施対象であるか判断する（Ｆ３０２）。そして、実施対象の場合にはＥポート４０１とＷポート４０２のリンク状態を取得する（Ｆ３０４）。
【００１９】
ＥポートとＷポート両方がリンクアップしている場合には、ポート閉塞制御部４０４にＥポートとＷポートの両ポートを閉塞するよう指示を出す（Ｆ３０７）。さらに、ループ検出パケット送受信部４０５にループ検出パケット送信を指示する（Ｆ３０９）。
【００２０】
リンク状態取得（Ｆ３０４）の結果、ＥポートまたはＷポートどちらか片ポートだけがリンクアップしている場合にはＰｎＰ機能部４００にＰｎＰ開始を指示する（Ｆ３０８）。
【００２１】
ポート閉塞制御部４０４のフローチャートを図４に示す。
ポート閉塞制御部は動作開始すると他機能部からの指示を待つ（Ｆ４０２）。そして、ポート閉塞を指示された場合（Ｆ４０３）には対象ポートを閉塞する（Ｆ４０５）。ポート閉塞解除を指示された場合（Ｆ４０４）には対象ポートを閉塞解除する（Ｆ４０６）。
【００２２】
ループ検出パケット送受信部４０５のフローチャートを図５に示す。
ループ検出パケット送受信部は動作開始すると他機能部からの指示を待つ（Ｆ５０２）。そして、ループ検出パケット送信を指示された場合（Ｆ５０３）には、ループ検出パケットをＷポート４０２から送信する（Ｆ５０４）。ここでは説明上、Ｗポートからの送信としているがＥポートから送信することも可能である。
【００２３】
ループ検出パケット送信後は一定時間、ループ検出パケットの受信を待つ（Ｆ５０５）。ループ検出パケットを受信した場合（Ｆ５０６）には、ポート閉塞制御部４０４にＷポートの閉塞解除を指示する（Ｆ５０７）。ループ検出パケットを受信しなかった場合（Ｆ５０６）には、ポート閉塞制御部４０４にＥ／Ｗ両ポートの閉塞解除を指示する（Ｆ５０８）。
閉塞解除指示（Ｆ５０７、Ｆ５０８）の後はＰｎＰ機能部４００にＰｎＰ開始を指示する（Ｆ５０９）。
【００２４】
ＰｎＰ機能部４００のフローチャートを図６に示す。
ＰｎＰ機能部４００は動作開始すると他機能部からの開始指示を待つ（Ｆ００２）。そして、ＰｎＰ処理の動作開始を指示された場合（Ｆ００３）にはＰｎＰ処理を開始する（Ｆ００４）。
【００２５】
次に図１のネットワークにおける実施の形態１に係る伝送装置それぞれの動作を図７に示すシーケンス図で説明する。
【００２６】
伝送装置１０４が新規参入伝送装置であり、伝送装置１０１〜１０３はバックアップノードである。ネットワーク１００はリング状に接続されており、伝送装置１０１〜１０３ではリング制御プロトコルが動作しているが、伝送装置１０４にはリング制御プロトコルの設定がされていない。そのため、伝送装置１０４をリングに接続するとブロードキャストストームが発生してしまい、ＰｎＰに必要な通信を行うことができない。
【００２７】
この発明による実施の形態１によって、どのようにしてブロードキャストストームを発生させることなくＰｎＰを動作させることが可能になるのかを説明する。
【００２８】
伝送装置１０４がネットワーク１００に接続されると、伝送装置１０４はＥ／Ｗ両ポートのリンクアップを検出する（Ｓ４０１）。そして、Ｅ／Ｗ両ポートを閉塞（Ｓ４０２）した後に、Ｗポートからループ検出パケットＳ４０４を送信する（Ｓ４０３）。
【００２９】
ループ検出パケットＳ４０４は隣接する伝送装置１０３で中継され、伝送装置１０２に到達する。さらに伝送装置１０２、伝送装置１０１で中継され、最終的に伝送装置１０４のＥポートに到達する。
【００３０】
伝送装置１０４はループ検出パケットを受信（Ｓ４０５）し、ネットワークがリング状に接続されておりブロードキャストストームが起こり得る状態であることを認識する。そして、ブロードキャストストームが発生しないようにＥポートは閉塞したまま、Ｗポートだけを閉塞解除（Ｓ４０６）する。その後、ＰｎＰ通信を開始する（Ｓ４０７）。
【００３１】
実施の形態２．
ネットワークの構成は実施の形態１と同様に図１に示すように構成されている。
上記実施の形態１では、ブロードキャストストームが起こり得るネットワーク構成であることを判定するためにループ検出パケットを用いたが、このようなパケットを送信せずに他の伝送装置が送信しているＢＰＤＵ（Ｂｒｉｄｇｅ  Ｐｒｏｔｏｃｏｌ  Ｄａｔａ  Ｕｎｉｔ）パケットを用いて判定することも可能である。
【００３２】
ＢＰＤＵパケットにはＳＴＰまたはＲＳＴＰネットワークにおけるルートブリッジのＩＤ（Ｉｄｅｎｔｉｆｉｃａｔｉｏｎ）（以下、ルートＩＤと称す）が格納されている。伝送装置１０４においてＥポートで受信したＢＰＤＵに含まれるルートＩＤとＷポートで受信したＢＰＤＵに含まれるルートＩＤを比較すると、リングネットワークが１箇所も切断していない状態ではＥポートのルートＩＤとＷポートのルートＩＤは一致するが、リングネットワークが１箇所以上分断している状態ではＥポートのルートＩＤとＷポートのルートＩＤが一致しない。
【００３３】
このことから、Ｅ／ＷポートのルートＩＤが一致する場合は伝送装置１０４を接続することによってブロードキャストストームが起こり得るが、ルートＩＤが一致しない場合には伝送装置１０４を接続してもブロードキャストストームは起こり得ないと判断できる。
【００３４】
実施の形態２を実現するための伝送装置１０４のブロック図を図８に示す。
伝送装置１０４にはＰｎＰ機能部４００、リンク状態取得部４０３ｂ、ポート閉塞制御部４０４、ルートＩＤ判定部４０６、Ｅポート４０１、Ｗポート４０２がある。
この中でＰｎＰ機能部４００、ポート閉塞制御部４０４、Ｅポート４０１、Ｗポート４０２は実施の形態１と処理内容が同じである。
【００３５】
リンク状態取得部４０３ｂは実施の形態１で示したリンク状態取得部４０３ａと比べて、リンク状態取得後の処理が異なる。
【００３６】
ルートＩＤ判定部４０６は隣接する伝送装置が送信するＢＰＤＵを受信することで、ネットワークがブロードキャストストームの起こり得る状態にあるかを判定する。ルートＩＤ判定部４０６、ポート閉塞制御部４０４は、リンク状態を確認する機能部分を構成する。
【００３７】
次に、各機能部の動作をフローチャートで説明する。なお、すでに説明した機能部については説明を省略する。
【００３８】
リンク状態取得部４０３ｂのフローチャートを図９に示す。
実施の形態１においてはＥ／Ｗ両ポート閉塞指示（Ｆ３０７）の後に、ループ検出パケット送信を指示（Ｆ３０９）していたが、ここではルートＩＤ判定部４０６にルートＩＤ取得を指示する（Ｆ３１１）。それ以外の処理は実施の形態１と同じである。
【００３９】
ルートＩＤ判定部４０６のフローチャートを図１０に示す。
ルートＩＤ判定部４０６は動作開始すると他機能部からの指示を待つ（Ｆ６０２）。そして、ルートＩＤ取得を指示された場合（Ｆ６０３）には、Ｅ／Ｗ両ポートでＢＰＤＵを一定時間受信する（Ｆ６０４）。一定時間経過後、ＢＰＵＤをＥ／Ｗ両ポートで受信した場合（Ｆ６０５）には、両ポートで受信したＢＰＤＵのルートＩＤを比較する（Ｆ６０７）。比較の結果、ＥポートとＷポートでルートＩＤが一致する場合（Ｆ６０８）には、ポート閉塞制御部４０４にＷポートの閉塞解除を指示する（Ｆ６０９）。一致しない場合（Ｆ６０８）には、ポート閉塞制御部４０４にＥ／Ｗ両ポートの閉塞解除を指示する（Ｆ６１０）。その後、ＰｎＰ機能部４００にＰｎＰ開始を指示する（Ｆ６１１）。
【００４０】
次に図１のネットワークにおける実施の形態２に係る伝送装置それぞれの動作を図１１に示すシーケンス図で説明する。
【００４１】
伝送装置１０１〜１０３ではリング制御プロトコルとしてＳＴＰが動作している。
動作はＥ／Ｗ両ポートを閉塞（Ｓ４０２）するまでは実施の形態１と同じである。実施の形態２では、Ｅ／Ｗ両ポートを閉塞（Ｓ４０２）の後にＢＰＤＵ受信を開始（Ｓ４０８）する。
【００４２】
伝送装置１０４はＷポートで伝送装置１０３のＢＰＤＵ（Ｓ３０１）を、Ｅポートで伝送装置１０１のＢＰＤＵ（Ｓ１０１）を受信する。一定時間経過後に、伝送装置１０４はルートＩＤを判定する（Ｓ４０９）。
【００４３】
伝送装置１０１から伝送装置１０３までの区間をみたとき、ネットワークは分断していないため、伝送装置１０３のＢＰＤＵ（Ｓ３０１）に含まれるルートＩＤと伝送装置１０１のＢＰＤＵ（Ｓ１０１）に含まれるルートＩＤは一致する。  そのことから、伝送装置１０４はネットワークがブロードキャストストームが起こり得る状態にあることを認識し、Ｅポートは閉塞したまま、Ｗポートだけを閉塞解除する（Ｓ４０９）。その後、ＰｎＰ通信を開始する（Ｓ４０７）。
【００４４】
実施の形態３．
ネットワークの構成は実施の形態１と同様に図１に示すように構成される。
上記実施の形態１、２ではネットワークがブロードキャストストームが起こり得る状態にあるかを判定し、その結果から伝送装置１０４のＥ／Ｗ片ポートを閉塞していた。しかしながら、判定処理を行わずに必ずＥ／Ｗ片ポートをリンクダウンさせた状態でＰｎＰ開始することで、より簡単な処理でブロードキャストストームを発生させずにＰｎＰ実行することができる。
【００４５】
実施の形態３を実現するための伝送装置１０４のブロック図を図１２に示す。
伝送装置１０４にはＰｎＰ機能部４００、リンク状態取得部４０３ｃ、リンク状態制御部４０７、Ｅポート４０１、Ｗポート４０２がある。
この中でＰｎＰ機能部４００、Ｅポート４０１、Ｗポート４０２は実施の形態１と処理内容が同じである。
【００４６】
リンク状態取得部４０３ｃは実施の形態１で示したリンク状態取得部４０３ａと比べて、リンク状態取得後の処理が異なる。
【００４７】
リンク状態制御部４０７はＥポート４０１、Ｗポート４０２のリンク状態を制御する。リンク状態制御部４０７は、リンク状態を確認する機能部分を構成する。
【００４８】
次に、各機能部の動作をフローチャートで説明する。なお、すでに説明した機能部については説明を省略する。
【００４９】
リンク状態取得部４０３ｃのフローチャートを図１３に示す。
リンク状態取得部４０３ｃはリンク状態を取得（Ｆ３０４）し、Ｅ／Ｗ両ポートがリンクアップしている場合（Ｆ３０５）にはリンク状態制御部４０７にＥポートのリンクダウンを指示する（Ｆ３１２）。Ｅ／Ｗ片ポートだけがリンクアップしている場合（Ｆ３０６）にはＰｎＰ機能部４００にＰｎＰ開始を指示する（Ｆ３０８）。
【００５０】
リンク状態制御部４０７のフローチャートを図１４に示す。
リンク状態制御部４０７は動作開始すると他機能部からの指示を待つ（Ｆ７０２）。そして、リンクダウンを指示された場合（Ｆ７０３）には、対象ポートをリンクダウンする（Ｆ７０４）。その後、ＰｎＰ機能部４００にＰｎＰ開始を指示する（Ｆ７０５）。
【００５１】
次に図１のネットワークにおける実施の形態３に係る伝送装置それぞれの動作を図１５に示すシーケンス図で説明する。
【００５２】
伝送装置１０４はＥ／Ｗ両ポートがリンクアップしていることを検出（Ｓ４０１）すると、Ｅポートだけをリンクダウンする（Ｓ４１０）。それによってブロードキャストストームが発生することを防いだうえで、ＰｎＰ通信を開始する（Ｓ４０７）。
【００５３】
実施の形態４．
ネットワークの構成は実施の形態１と同様に図１に示すように構成されている。
これまで説明した実施の形態では、ブロードキャストストームが発生しないようポート閉塞などの処理を行ってからＰｎＰ開始していたが、伝送装置をバス接続などブロードキャストストームが発生しないネットワーク構成で用いる場合には、ポート閉塞などの処理を行わずにＰｎＰ開始して構わない。しかしながら万が一、ブロードキャストストームが発生するとＰｎＰ通信を継続できないため、ブロードキャストストーム発生時はストームを解消させることが必要である。
【００５４】
実施の形態４ではＰｎＰ実行中にＥ／Ｗポートにおける中継レートを監視することでブロードキャストストーム発生を検出し、ストーム発生した場合にはＥ／Ｗ片ポートを閉塞することでストームを解消させる方法を説明する。
【００５５】
実施の形態４を実現するための伝送装置１０４のブロック図を図１６に示す。
伝送装置１０４にはＰｎＰ機能部４００、リンク状態取得部４０３ｄ、ポート閉塞制御部４０４、中継レート監視部４０８ａ、Ｅポート４０１、Ｗポート４０２がある。
この中でＰｎＰ機能部４００、ポート閉塞制御部４０４、Ｅポート４０１、Ｗポート４０２は実施の形態１と処理内容が同じである。
【００５６】
リンク状態取得部４０３ｄはＥポート４０１、Ｗポート４０２のリンク状態を取得してＰｎＰ開始を判断する。
【００５７】
中継レート監視部４０８ａはＥポート４０１、Ｗポート４０２の受信レートを監視することでブロードキャストストーム発生を検出し、Ｅポートを閉塞することでブロードキャストストームを解消させる。中継レート監視部４０８ａ、ポート閉塞制御部４０４は、リンク状態を確認する機能部分を構成する。
【００５８】
次に、各機能部の動作をフローチャートで説明する。なお、すでに説明した機能部については説明を省略する。
【００５９】
リンク状態取得部４０３ｄのフローチャートを図１７に示す。
リンク状態取得部４０３ｄはリンク状態を取得（Ｆ３０４）し、Ｅ／Ｗ両または片ポートがリンクアップしている場合（Ｆ３１３）にはＰｎＰ機能部４００にＰｎＰ開始を指示する（Ｆ３０８）。その後、中継レート監視部４０８ａに監視開始を指示する（Ｆ３１４）。
【００６０】
中継レート監視部４０８ａのフローチャートを図１８に示す。
中継レート監視部４０８ａは動作開始すると他機能部からの指示を待つ（Ｆ８０２）。そして、監視開始を指示され場合（Ｆ８０３）には、Ｅポート４０１とＷポート４０２の受信レートを監視する（Ｆ８０４）。そして、中継レートである受信レートがあらかじめ定められた一定値を超過した場合（Ｆ８０５）には、ポート閉塞制御部４０４にＥポート閉塞を指示する（Ｆ８０６）。
【００６１】
次に図１のネットワークにおける実施の形態４における伝送装置それぞれの動作を図１９に示すシーケンス図で説明する。
【００６２】
伝送装置１０４はＥ／Ｗいずれかポートのリンクアップを検出（Ｓ４１１）すると、ＰｎＰ通信を開始する（Ｓ４０７）。それと同時に中継レートの監視を開始する（Ｓ４１２）。ＰｎＰ実行中にブロードキャストストーム（Ｓ４１３）が発生すると、伝送装置１０４はＥポートを閉塞する（Ｓ４１４）。それによって、ブロードキャストストームを解消させる。
【００６３】
実施の形態５．
ネットワークの構成は実施の形態１と同様に図１に示すように構成されている。
上記実施の形態４ではブロードキャストストームを解消させるために伝送装置１０４のＥポートを閉塞したが、閉塞ではなくリンクダウンさせてもよい。実施の形態５ではリンクダウンによってブロードキャストストームを解消させる方法を説明する。
【００６４】
実施の形態５を実現するための伝送装置１０４のブロック図を図２０に示す。
伝送装置１０４にはＰｎＰ機能部４００、リンク状態取得部４０３ｄ、リンク状態制御部４０７、中継レート監視部４０８ｂ、Ｅポート４０１、Ｗポート４０２がある。
この中でＰｎＰ機能部４００、Ｅポート４０１、Ｗポート４０２は実施の形態１と処理内容が同じである。リンク状態制御部４０７は実施の形態３と処理内容が同じである。リンク状態取得部４０３ｄは実施の形態４と処理内容が同じである。
【００６５】
中継レート監視部４０８ｂは実施の形態４と同じ方法でブロードキャストストーム発生を検出するが、Ｅポートをリンクダウンすることでブロードキャストストームを解消させる点が実施の形態４と異なる。中継レート監視部４０８ｂ、リンク状態制御部４０７は、リンク状態を確認する機能部分を構成する。
【００６６】
次に、各機能部の動作をフローチャートで説明する。なお、すでに説明した機能部については説明を省略する。
【００６７】
中継レート監視部４０８ｂのフローチャートを図２１に示す。
Ｅ／Ｗの受信レートを監視する点は実施の形態４と同じであるが、中継レートである受信レートがあらかじめ定められた一定値を超過した場合（Ｆ８０５）には、リンク状態制御部４０７にＥポートのリンクダウンを指示する（Ｆ８０８）。
【００６８】
次に図１のネットワークにおける実施の形態５に係る伝送装置それぞれの動作を図２２に示すシーケンス図で説明する。
【００６９】
実施の形態４と異なりブロードキャストストーム（Ｓ４１３）が発生した場合には、伝送装置１０４はＥポートをリンクダウンさせる（Ｓ４１５）。それによって、ブロードキャストストームを解消させる。
【００７０】
なお、この発明は、その発明の範囲において、各実施の形態を自由に組み合わせたり、各実施の形態を適宜、変形、省略することが可能である。
【符号の説明】
【００７１】
１００  ネットワーク、１０４  伝送装置、４００  ＰｎＰ機能部、４０１  Ｅポート（ネットワーク接続ポート）、４０２  Ｗポート（ネットワーク接続ポート）、４０３ａ，４０３ｂ，４０３ｃ，４０３ｄ  リンク状態取得部、４０４  ポート閉塞制御部、４０５  ループ検出パケット送受信部、４０６  ルートＩＤ判定部、４０７  リンク状態制御部、４０８ａ，４０８ｂ  中継レート監視部
【図１】
2016111490.tif 000003
【図２】
2016111490.tif 000004
【図３】
2016111490.tif 000005
【図４】
2016111490.tif 000006
【図５】
2016111490.tif 000007
【図６】
2016111490.tif 000008
【図７】
2016111490.tif 000009
【図８】
2016111490.tif 000010
【図９】
2016111490.tif 000011
【図１０】
2016111490.tif 000012
【図１１】
2016111490.tif 000013
【図１２】
2016111490.tif 000014
【図１３】
2016111490.tif 000015
【図１４】
2016111490.tif 000016
【図１５】
2016111490.tif 000017
【図１６】
2016111490.tif 000018
【図１７】
2016111490.tif 000019
【図１８】
2016111490.tif 000020
【図１９】
2016111490.tif 000021
【図２０】
2016111490.tif 000022
【図２１】
2016111490.tif 000023
【図２２】
2016111490.tif 000024